【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
リモート端末と、
前記リモート端末と通信可能な画像形成装置と
を備える画像形成システムであって、
前記リモート端末は、
端末側表示画面を表示する端末側表示部と、
前記端末側表示部に表示された前記端末側表示画面を介して操作された遠隔側操作内容に基づく操作情報を前記画像形成装置に送信する端末側通信部と
を備え、
前記画像形成装置は、
本体側表示画面を表示する本体側表示部と、
前記端末側通信部により送信された前記操作情報に応じて、前記本体側表示部に表示させる前記本体側表示画面を遷移させる本体側制御部と
を備え、
前記本体側表示部は、
前記本体側表示画面として、デフォルト設定であるネイティブ画面と、前記ネイティブ画面が編集されたカスタマイズ画面との少なくとも一方が表示可能であり、
前記ネイティブ画面及び前記カスタマイズ画面のそれぞれは、
互いに相関関係のある複数の操作画面
を含み、
前記操作画面は、
操作を受け付ける操作項目
を含み、
前記リモート端末は、
前記端末側表示画面として、前記ネイティブ画面に含まれる前記操作画面を少なくとも表示可能であり、
前記本体側制御部は、
前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、
画像形成システム。
【請求項２】
前記画像形成装置は、
前記リモート端末からリモートアクセス要求があった場合、前記ネイティブ画面に存在し、前記カスタマイズ画面に存在しない前記操作項目を、操作不可能状態とした設定内容を含んだ前記ネイティブ画面に含まれる前記操作画面を前記リモート端末に送信する、
請求項１に記載の画像形成システム。
【請求項３】
前記画像形成装置は、
前記リモート端末からリモートアクセス要求があった場合、前記ネイティブ画面及び前記カスタマイズ画面のそれぞれに含まれる前記操作画面を前記リモート端末に送信する、
請求項１に記載の画像形成システム。
【請求項４】
前記画像形成装置は、
前記カスタマイズ画面のツリー情報を前記リモート端末に送信し、
前記ツリー情報は、
前記操作項目の経路が含まれ、
前記操作項目の経路は、
前記操作項目のうち、前記操作画面の遷移に応じて関連付けられている前記操作項目の前記操作画面を介した相関関係を示す、
請求項２又は３に記載の画像形成システム。
【請求項５】
前記画像形成装置は、
前記遠隔側操作内容に対応する前記操作項目が操作された旨を含ませた前記ツリー情報を前記リモート端末に送信し、
前記端末側表示部は、
前記ツリー情報を表示する、
請求項４に記載の画像形成システム。
【請求項６】
本体側表示画面を表示する本体側表示部と、
前記本体側表示画面がリモート端末の端末側表示画面に表示され、前記端末側表示画面を介して操作された遠隔側操作内容に基づく操作情報に応じて、前記本体側表示部に表示させる前記本体側表示画面を遷移させる本体側制御部と
を含み、
前記本体側表示部は、
前記本体側表示画面として、デフォルト設定であるネイティブ画面と、前記ネイティブ画面が編集されたカスタマイズ画面との少なくとも一方が表示可能であり、
前記ネイティブ画面及び前記カスタマイズ画面のそれぞれは、
互いに相関関係のある複数の操作画面
を含み、
前記操作画面は、
操作を受け付ける操作項目
を含み、
前記本体側制御部は、
前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、
画像形成装置。
【請求項７】
画像形成装置を制御するコンピュータを、
本体側表示画面を表示する本体側表示部と、
前記本体側表示画面がリモート端末の端末側表示画面に表示され、前記端末側表示画面を介して操作された遠隔側操作内容に基づく操作情報に応じて、前記本体側表示部に表示させる前記本体側表示画面を遷移させる本体側制御部と、
として機能させるためのプログラムであって、
前記本体側表示部は、
前記本体側表示画面として、デフォルト設定であるネイティブ画面と、前記ネイティブ画面が編集されたカスタマイズ画面との少なくとも一方が表示可能であり、
前記ネイティブ画面及び前記カスタマイズ画面のそれぞれは、
互いに相関関係のある複数の操作画面
を含み、
前記操作画面は、
操作を受け付ける操作項目
を含み、
前記本体側制御部は、
前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、
プログラム。
【手続補正２】
【補正対象書類名】明細書
【補正対象項目名】０００３
【補正方法】変更
【補正の内容】
【０００３】
【特許文献１】特開２００６−５９０８３号公報
【手続補正３】
【補正対象書類名】明細書
【補正対象項目名】０００９
【補正方法】変更
【補正の内容】
【０００９】
上記目的を達成するため、本発明に係る画像形成システムは、リモート端末と、前記リモート端末と通信可能な画像形成装置とを備える画像形成システムであって、前記リモート端末は、端末側表示画面を表示する端末側表示部と、前記端末側表示部に表示された前記端末側表示画面を介して操作された遠隔側操作内容に基づく操作情報を前記画像形成装置に送信する端末側通信部とを備え、前記画像形成装置は、本体側表示画面を表示する本体側表示部と、前記端末側通信部により送信された前記操作情報に応じて、前記本体側表示部に表示させる前記本体側表示画面を遷移させる本体側制御部とを備え、前記本体側表示部は、前記本体側表示画面として、デフォルト設定であるネイティブ画面と、前記ネイティブ画面が編集されたカスタマイズ画面との少なくとも一方が表示可能であり、前記ネイティブ画面及び前記カスタマイズ画面のそれぞれは、互いに相関関係のある複数の操作画面を含み、前記操作画面は、操作を受け付ける操作項目を含み、前記リモート端末は、前記端末側表示画面として、前記ネイティブ画面に含まれる前記操作画面を少なくとも表示可能であり、前記本体側制御部は、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、ことを特徴とするものである。
【手続補正４】
【補正対象書類名】明細書
【補正対象項目名】００１０
【補正方法】変更
【補正の内容】
【００１０】
この画像形成システムによれば、端末側から遠隔操作対象である画像形成装置が遠隔操作される際、画像形成装置に表示されている操作画面を意識させることなく操作させることができる。また、この画像形成システムによれば、遠隔側操作内容と、本体側操作内容とのつじつまを合わせることができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００２１
【補正方法】変更
【補正の内容】
【００２１】
また、上記目的を達成するため、本発明に係る画像形成装置は、本体側表示画面を表示する本体側表示部と、前記本体側表示画面がリモート端末の端末側表示画面に表示され、前記端末側表示画面を介して操作された遠隔側操作内容に基づく操作情報に応じて、前記本体側表示部に表示させる前記本体側表示画面を遷移させる本体側制御部とを含み、前記本体側表示部は、前記本体側表示画面として、デフォルト設定であるネイティブ画面と、前記ネイティブ画面が編集されたカスタマイズ画面との少なくとも一方が表示可能であり、前記ネイティブ画面及び前記カスタマイズ画面のそれぞれは、互いに相関関係のある複数の操作画面を含み、前記操作画面は、操作を受け付ける操作項目を含み、前記本体側制御部は、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させる、ことを特徴とするものである。
【手続補正８】
【補正対象書類名】明細書
【補正対象項目名】００２２
【補正方法】変更
【補正の内容】
【００２２】
この画像形成装置においても、上記の画像形成システムと同様に、端末側から遠隔操作対象である画像形成装置が遠隔操作される際、画像形成装置に表示されている操作画面を意識させることなく操作させることができる。また、この画像形成システムによれば、遠隔側操作内容と、本体側操作内容とのつじつまを合わせることができる。
【手続補正９】
【補正対象書類名】明細書
【補正対象項目名】００２３
【補正方法】変更
【補正の内容】
【００２３】
また、上記目的を達成するため、本発明に係るプログラムは、画像形成装置を制御するコンピュータを、本体側表示画面を表示する本体側表示部と、前記本体側表示画面がリモート端末の端末側表示画面に表示され、前記端末側表示画面を介して操作された遠隔側操作内容に基づく操作情報に応じて、前記本体側表示部に表示させる前記本体側表示画面を遷移させる本体側制御部と、として機能させるためのものであって、前記本体側表示部は、前記本体側表示画面として、デフォルト設定であるネイティブ画面と、前記ネイティブ画面が編集されたカスタマイズ画面との少なくとも一方が表示可能であり、前記ネイティブ画面及び前記カスタマイズ画面のそれぞれは、互いに相関関係のある複数の操作画面を含み、前記操作画面は、操作を受け付ける操作項目を含み、前記本体側制御部は、前記端末側表示画面の前記ネイティブ画面において前記操作項目が選択され、選択された前記操作項目が前記カスタマイズ画面に含まれる前記操作項目として存在する場合、前記本体側表示画面を介して操作され得る本体側操作内容に対応する前記操作項目のうち、直近で行われた前記遠隔側操作内容に対応する前記操作項目にたどり着くまで、前記本体側表示画面の前記カスタマイズ画面に含まれる前記操作画面を遷移させるものである、ことを特徴とするものである。
【手続補正１０】
【補正対象書類名】明細書
【補正対象項目名】００２４
【補正方法】変更
【補正の内容】
【００２４】
このプログラムにおいても、上記の画像形成システムと同様に、端末側から遠隔操作対象である画像形成装置が遠隔操作される際、画像形成装置に表示されている操作画面を意識させることなく操作させることができる。また、遠隔側操作内容と、本体側操作内容とのつじつまを合わせることができる。